(57)【要約】【課題】繰り返し使用して短くなった木製桟を利用し、鏡板に固定しやすく、型枠パネルの寸法に合わせて簡単に長さを調節できる型枠パネル用桟材を提供すること。【解決手段】断面溝形の金属桟６の内部において、少なくとも両端部を含む鏡板との接合部に木製桟７ａ，７ｂを埋め込んで固定し、金属桟６の一端から木製桟７ａを突出してある。金属桟６の両側縁に沿って、鏡板の外面に当接するフランジ９を形成すると良い。【選択図】図３
2009007892.tif 000002
【特許請求の範囲】
【請求項１】
木製鏡板の外面に桟材を取り付けて成る型枠パネル用の桟材であって、断面溝形の金属桟の内部において、少なくとも両端部を含む前記鏡板との接合部に木製桟を埋め込んで固定し、前記金属桟の一端から前記木製桟を突出してあることを特徴とした型枠パネル用桟材。
【請求項２】
前記金属桟の両側縁に沿って、前記鏡板の外面に当接するフランジを形成した請求項１に記載の型枠パネル用桟材。
【発明の詳細な説明】
【技術分野】
【０００１】
本発明は、型枠パネル用桟材に関する。
【背景技術】
【０００２】
一般的な型枠パネルは、コンクリート打設部の高さに応じた上下寸法を有し、鏡板の周辺に枠を取り付けると共に、鏡板の外面に桟材を取り付けて成る。
桟材は、長さ３〜４ｍの角材を型枠パネルの寸法に合わせて切断して用いていた。型枠パネルはあくまでも仮設の部材なので、その部品である桟材も使いまわすことが多いが、繰り返し使用すると次第に短くなるため、大型の型枠パネルには新しい桟木を使用しなければならなかった。
近年、耐久性に富み、何度も繰り返し使用できる金属製の桟材も用いられるようになっているが、金属桟は型枠パネルの寸法に合わせて切断し難く、鏡板へ簡単に釘止めすることもできないので、同じ寸法の型枠パネルに使用するしかなく、脱枠の際に不便なこともあった。
【０００３】
また、従来、型枠パネルの表面に支持辺部を立設し、支持辺部の内側長手方向に沿って収納凹溝を形成し、収納凹溝内に木材等の釘止め可能な保持当材を詰込みしたコンクリート型枠パネルの桟木用固定枠が知られている（特許文献１参照）。
この固定枠は、木製の保持当材を介して容易にベニヤ板へ釘止め及び取外しすることができるものの、全長に亘ってアルミを素材としているので、型枠パネルの寸法に応じて簡単に長さを調節できないという欠点は改善されていない。
また、収納凹溝は特殊な断面形状なので、使い古しの桟木をそのまま詰め込むこともできない。
【０００４】
【特許文献１】特開平５−１９５６２１号公報
【発明の開示】
【発明が解決しようとする課題】
【０００５】
本発明が解決しようとする課題は、繰り返し使用して短くなった木製桟を利用し、鏡板に固定しやすく、型枠パネルの寸法に合わせて簡単に長さを調節できる型枠パネル用桟材を提供することにある。
【課題を解決するための手段】
【０００６】
本発明は、木製鏡板の外面に桟材を取り付けて成る型枠パネル用の桟材に関し、断面溝形の金属桟の内部において、少なくとも両端部を含む前記鏡板との接合部に木製桟を埋め込んで固定し、前記金属桟の一端から前記木製桟を突出してある。
前記金属桟の両側縁に沿って、前記鏡板の外面に当接するフランジを形成すると良い。
【発明の効果】
【０００７】
請求項１に係る発明によれば、繰り返し使用して短くなった木製桟を、金属桟と組み合わせることにより再度使用することができると共に、桟材の両端部や強度が弱い鏡板の継ぎ目部分において、桟材と鏡板とを木製桟を介して簡単に、且つ、強固に釘止めすることができる。
また、切断し難い金属桟の長さを変えることなく、金属桟の一端から突出した木製桟を切断することによって、型枠パネルの寸法に合わせて簡単に桟材の長さを調節することが可能である。
請求項２に係る発明によれば、金属桟自体の強度が増すだけでなく、金属桟のフランジが鏡板の外面に当接してコンクリート圧による鏡板の膨らみに対向するので、木製桟が埋め込まれていない部分でも強度が高まる。
【発明を実施するための最良の形態】
【０００８】
以下、本発明の実施例を図面に基づいて詳細に説明する。
図１及び図２は、本発明に係る型枠パネル１を示す。型枠パネル１は、鏡板２の外面の両側端部に沿って縦枠３が取り付けられると共に、上下端部に沿って横枠４が装着され、外面中間部に上下方向に沿う２本の桟材５が取り付けられて成る。
鏡板２は、厚さ１２ｍｍの合板より成り、コンクリート打設箇所の幅及び高さに応じた大きさに切断されている。本実施例においては、型枠パネル１の高さが合板の標準寸法である１８００ｍｍより高いので、高さ１８００ｍｍの下部鏡板２ａの上方に背の低い上部鏡板２ｂを継ぎ足してある。
縦枠３及び横枠４は、奥行き４８．６ｍｍ×幅２４ｍｍの断面を有する角材より成り、鏡板２に釘止めされている。
【０００９】
桟材５は、図３〜図５に示すように、断面溝形の金属桟６と、金属桟６の両端部にそれぞれ埋め込まれて固定された木製桟７ａ，７ｂとから成る。
金属桟６は、厚さ２ｍｍ程度のアルミニウム、鋼等を素材とし、図６に示すように、溝形部分８の両側縁に沿って外方へ張り出したフランジ９を形成してある。また、溝形部分８の両端部の側面には、それぞれ直径２ｍｍ程度の釘孔１１を複数形成してある。
本実施例においては、金属桟６の長さは１８００ｍｍ、奥行き外寸は４８．６ｍｍ、溝形部分８の幅内寸は２５ｍｍ、フランジ９の幅は１０ｍｍである。
なお、金属桟６の奥行き外寸は、一般的な仮設材のパイプ寸法に合わせた寸法である。また、通常、金属桟６の長さは、１８００ｍｍ，２３００ｍｍ，２８００ｍｍの内から、型枠パネル１の寸法に適したものを選択する。
【００１０】
金属桟６の一端部に埋め込まれる木製桟７ａは、断面４６ｍｍ×２４ｍｍ、長さ１０００ｍｍの角材より成る。図７に示すように、木製桟７ａの下半部の正面には、金属桟６の厚み（２ｍｍ）に相当する深さの切欠き１０が形成されている。
そして、図４に示すように、木製桟７ａの下半部を金属桟６に挿入し、金属桟６の一端部側面に形成された釘孔１１から釘１２を打ち込んで木製桟７ａを固定する。
木製桟７ａの下半部表面には切欠き１０が形成されているので、この切欠き１０に金属桟６が嵌合して木製桟７ａの表面と金属桟６の表面とは面一となり（図５）、木製桟７ａの上半部は金属桟６の一端から突出する。
【００１１】
金属桟６の他端部に埋め込まれる木製桟７ｂは、断面４６ｍｍ×２４ｍｍ、長さ４００ｍｍの角材より成る。
この木製桟７ｂを金属桟６の他端部にはめ込んで、金属桟６の側面に形成された釘孔１１から釘１２を打ち込んで固定する。
【００１２】
この桟材５を用いる際には、予め木製桟７ａを切断して、桟材５の長さを鏡板２の高さに合わせておく。
そして、寸法を調整した桟材５を、上部鏡板２ｂと下部鏡板２ａとの継ぎ目に直行するよう、且つ、木製桟７ａが上部鏡板２ｂ側に位置するよう配置すると共に、金属桟６のフランジ９を鏡板２の表面に当接し、鏡板２と木製桟７ａ，７ｂをそれぞれ釘で固定する。
すると、金属桟６の一端部へ設けられた木製桟７ａが鏡板２の継ぎ目を跨いで配置され、上部鏡板２ｂ及び下部鏡板２ａに固定されるので、強度の低い鏡板２の継ぎ目部分が木製桟７ａで補強される。
また、木製桟７ａ，７ｂが配置されていない部分でも、金属桟６のフランジ９が当接して鏡板２の変形に抵抗する。
【００１３】
勿論、各部材の寸法は、上記実施例に限定されず、構築しようとする構造物の高さ等に応じて適宜変更することができる。例えば、金属桟６の厚みは素材によっても異なり、金属桟６の厚みに応じて木製桟７ａ，７ｂの断面寸法が変化する。また、木製桟７ａ，７ｂの長さは、金属桟６の長さや再利用しようとする角材の長さによって変更できる。
さらに、金属桟６の長さが長い場合や、鏡板２の継ぎ目が桟材５の中間部にある場合には、金属桟６の中間部において、鏡板２の継ぎ目に相当する位置に別の木製桟を埋め込んで固定し、この木製桟を介して桟材５を鏡板２に固定する。
【図面の簡単な説明】
【００１４】
【図１】型枠パネルの斜視図。
【図２】型枠パネルの断面図。
【図３】桟材の背面側から見た斜視図。
【図４】桟材の背面図。
【図５】桟材の正面側から見た斜視図。
【図６】金属桟の斜視図。
【図７】金属桟の一端部に埋め込む木製桟の斜視図。
【符号の説明】
【００１５】
１  型枠パネル
２  鏡板
２ａ  下部鏡板
２ｂ  上部鏡板
３  縦枠
４  横枠
５  桟材
６  金属桟
７ａ，７ｂ  木製桟
８  溝形部分
９  フランジ
１０  切欠き
１１  釘孔
１２  釘
【図１】
2009007892.tif 000003
【図２】
2009007892.tif 000004
【図３】
2009007892.tif 000005
【図４】
2009007892.tif 000006
【図５】
2009007892.tif 000007
【図６】
2009007892.tif 000008
【図７】
2009007892.tif 000009
【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
木製鏡板の外面に桟材を取り付けて成る型枠パネル用の桟材であって、断面溝形の金属桟と、該金属桟の内部において、少なくとも両端部を含む前記鏡板との接合部に埋め込まれた木製桟とから成り、前記金属桟の両側縁に沿って、前記鏡板の外面に当接するフランジを形成し、前記金属桟の溝形部分の側面に釘孔を形成し、前記金属桟と木製桟とを前記釘孔を介して固定し、前記金属桟の一端から前記木製桟を突出してあることを特徴とした型枠パネル用桟材。
【手続補正２】
【補正対象書類名】明細書
【補正対象項目名】０００６
【補正方法】変更
【補正の内容】
【０００６】
本発明は、木製鏡板の外面に桟材を取り付けて成る型枠パネル用の桟材に関し、断面溝形の金属桟と、該金属桟の内部において、少なくとも両端部を含む前記鏡板との接合部に埋め込まれた木製桟とから成り、前記金属桟の両側縁に沿って、前記鏡板の外面に当接するフランジを形成し、前記金属桟の溝形部分の側面に釘孔を形成し、前記金属桟と木製桟とを前記釘孔を介して固定し、前記金属桟の一端から前記木製桟を突出してある。
【手続補正３】
【補正対象書類名】明細書
【補正対象項目名】０００７
【補正方法】変更
【補正の内容】
【０００７】
本発明によれば、繰り返し使用して短くなった木製桟を、金属桟と組み合わせることにより再度使用することができると共に、桟材の両端部や強度が弱い鏡板の継ぎ目部分において、桟材と鏡板とを木製桟を介して簡単に、且つ、強固に釘止めすることができる。
また、切断し難い金属桟の長さを変えることなく、金属桟の一端から突出した木製桟を切断することによって、型枠パネルの寸法に合わせて簡単に桟材の長さを調節することが可能である。
さらに、金属桟自体の強度が増すだけでなく、金属桟のフランジが鏡板の外面に当接してコンクリート圧による鏡板の膨らみに対向するので、木製桟が埋め込まれていない部分でも強度が高まる。